(57)【要約】【課題】コイルの層間でのレアショートが発生しないコイルボビンおよび内燃機関用点火プラグ装置を提供する。【解決手段】筒体２６ａの外周に、二次コイル２７を巻回する溝２６ｄを形成する周回した複数の鍔２６ｂが設けられるとともに、この鍔２６に外周端から筒体２６ａへ至る切欠部２６ｃを設けた二次コイルボビン２６において、切欠部２６ｃの幅ｗを０．３ｍｍ〜１．０ｍｍの範囲に設定する。【選択図】    図１
2004221147.tif 000002
【特許請求の範囲】
【請求項１】
筒体の外周に、コイルを巻回する溝を形成する周回した複数の鍔が設けられるとともに、この鍔に外周端から前記筒体へ至る切欠部を設けたコイルボビンにおいて、
前記切欠部の幅を０．３ｍｍ〜１．０ｍｍの範囲に設定した、
ことを特徴とするコイルボビン。
【請求項２】
絶縁ケース内に、鉄心が一次コイルおよび二次コイルを貫通したコイル−鉄心組立体を収容し、前記絶縁ケース内に絶縁樹脂を注入して固化させることにより、前記絶縁ケース内に前記コイル−鉄心組立体の各部材を絶縁して固定した内燃機関用点火コイル装置において、
前記二次コイルを巻回する二次コイルボビンを、筒体と、この筒体の外周に周回させて設けられ、前記二次コイルを巻回する溝を形成する複数の鍔とで構成し、
前記鍔に外周端から前記筒体へ至る切欠部を設けるとともに、前記切欠部の幅を０．３ｍｍ〜１．０ｍｍの範囲に設定した、
ことを特徴とする内燃機関用点火コイル装置。
【発明の詳細な説明】
【０００１】
【発明の属する技術分野】
この発明は、外周にコイルを巻回するコイルボビン、および、このコイルボビンを利用した、火花放電を発生させるための高電圧を点火プラグに供給するための内燃機関用点火コイル装置に関するものである。
【０００２】
【従来の技術】
図４は内燃機関用点火コイル装置の一例の概略構成を示す縦断面図である。
図４において、１１は絶縁性を有する合成樹脂で成形した絶縁ケースを示し、上面が解放した絶縁ケース本体部１２と、この絶縁ケース本体部１２の側壁１３に、外側へ突出するように一体成形されたソケット部１５と、絶縁ケース本体部１２の底１４に、外側へ突出するように一体成形された高圧タワー部１６とで構成されている。
そして、ソケット部１５に複数の一次端子１８が取り付けられ、高圧タワー部１６に高圧端子１９が取り付けられている。
【０００３】
２１はコイル−鉄心組立体を示し、筒状をした一次コイルボビン２３、および、この一次コイルボビン２３の外周に巻回された一次コイル２４からなる一次コイル体２２と、この一次コイル体２２の外側に配置される、一次コイルボビン２３と同心の筒状をした二次コイルボビン２６、および、この二次コイルボビン２６の外周に巻回された二次コイル２７からなる二次コイル体２５と、一次および二次コイルボビン２３，２６を同心状に貫通した棒状のセンタ鉄心２８と、このセンタ鉄心２８を平面内で囲む環状のサイド鉄心２９と、このサイド鉄心２９とセンタ鉄心２８との間に配設された永久磁石３０とで構成されている。
３１はエポキシ樹脂などの絶縁樹脂を示す。
【０００４】
この内燃機関用点火コイル装置は、絶縁ケース１１の高圧タワー部１６内へ高圧端子１９を、例えば高圧タワー部１６の下側から圧入して取り付け、一次端子１８に一次コイル２４の両端および二次コイル２７の一端を接続するとともに、二次コイル２７の他端を高圧端子１９に接続する。
そして、両鉄心２８，２９が絶縁ケース本体部１２の底１４と平行になるようにコイル−鉄心組立体２１を底１４に載置するとともに、複数の一次端子１８をソケット部１５に圧入して取り付ける。
このようにコイル−鉄心組立体２１を底１４に載置すると、コイル−鉄心組立体２１の一部（一次および二次コイル体２２，２５の下側）が高圧タワー部１６内に収容される。
【０００５】
次に、絶縁ケース１１内に絶縁樹脂３１を、コイル−鉄心組立体２１を覆うように注入して固化させることにより、絶縁ケース１１内にコイル−鉄心組立体２１の各部材を絶縁して固定することができる。
したがって、一次端子１８に所定の電圧を印加することにより、高圧端子１９に、点火プラグに火花放電を発生させるための高電圧を発生させることができる。
【０００６】
図５は図４に示した従来の二次コイルボビンの拡大断面図、図６は図４に示した従来の二次コイル体の拡大側面図、図７は図６の部分拡大図である。
なお、図５は図６のＸ−Ｘ線に相当する断面図である。
これらの図において、二次コイルボビン２６は、断面形状が横長の四角形をした筒体２６ａと、この筒体２６ａの外周に周回させて設けられ、二次コイル２７を巻回する溝２６ｄを形成する複数の鍔２６ｂとで構成されている。
そして、各鍔２６ｂには、一方の溝２６ｄから隣接する他方の溝２６ｄへ巻線２７ａを渡らせるため、外周端から筒体２６ａへ至る切欠部２６ｃが設けられている。
なお、ｈは鍔２６ｂの高さ、ｗは切欠部２６ｃの幅（最大幅）を示す。
【０００７】
【発明が解決しようとする課題】
従来の内燃機関用点火コイル装置を構成する二次コイルボビン２６は、切欠部２６ｃの幅ｗが１．２ｍｍ〜４．０ｍｍの範囲に設定されている。
なお、通常、筒部２６ａは１１．２ｍｍ〜２５．６ｍｍ×１３．０ｍｍ〜２５．６ｍｍとされ、鍔２６ｂの高さｈは１．７ｍｍ〜６．３ｍｍとされ、鍔２６ｂの厚さは０．５ｍｍ〜１．０ｍｍとされ、巻線２７ａの直径は０．０３５ｍｍ〜０．０６５ｍｍとされている。
【０００８】
したがって、切欠部（渡り部）２６ｃの幅ｗが広くなるため、図７に示すように、切欠部２６ｃの巻線２７ａの巻乱れ、膨らみにより、二次コイル２７の層間でのレアショートが発生し易かった。
【０００９】
この発明は、上記したような不都合を解消するためになされたもので、コイルの層間でのレアショートが発生しないコイルボビンおよび内燃機関用点火コイル装置を提供するものである。
【００１０】
【課題を解決するための手段】
まず、請求項１にかかる発明は、筒体の外周に、コイルを巻回する溝を形成する周回した複数の鍔が設けられるとともに、この鍔に外周端から筒体へ至る切欠部を設けたコイルボビンにおいて、切欠部の幅を０．３ｍｍ〜１．０ｍｍの範囲に設定したものである。
次に、請求項２にかかる発明は、絶縁ケース内に、鉄心が一次コイルおよび二次コイルを貫通したコイル−鉄心組立体を収容し、絶縁ケース内に絶縁樹脂を注入して固化させることにより、絶縁ケース内にコイル−鉄心組立体の各部材を絶縁して固定した内燃機関用点火コイル装置において、二次コイルを巻回する二次コイルボビンを、筒体と、この筒体の外周に周回させて設けられ、二次コイルを巻回する溝を形成する複数の鍔とで構成し、鍔に外周端から筒体へ至る切欠部を設けるとともに、切欠部の幅を０．３ｍｍ〜１．０ｍｍの範囲に設定したものである。
【００１１】
【発明の実施の形態】
以下、この発明の実施形態を図に基づいて説明する。
図１はこの発明の一実施形態である二次コイルボビンの拡大断面図、図２は図１に示した二次コイルボビンに二次コイルを巻回した二次コイル体の側面図、図３は図２の部分拡大図であり、図４〜図７と同一または相当部分に同一符号を付して説明を省略する。
なお、図１は図２のＹ−Ｙ線に相当する断面図である。
【００１２】
これらの図において、二次コイルボビン２６は、断面形状が横長の四角形をした筒体２６ａと、この筒体２６ａの外周に周回させて設けられ、二次コイル２７を巻回する溝２６ｄを形成する複数の鍔２６ｂとで構成されている。
そして、各鍔２６ｂには、一方の溝２６ｄから隣接する他方の溝２６ｄへ巻線２７ａを渡らせるため、外周端から筒体２６ａへ至る切欠部２６ｃが設けられている。
【００１３】
なお、ｈは鍔２６ｂの高さ、ｗは切欠部２６ｃの幅（最大幅）を示す。
そして、筒部２６ａは１１．２ｍｍ〜２５．６ｍｍ×１３．０ｍｍ〜２５．６ｍｍとされ、鍔２６ｂの高さｈは１．７ｍｍ〜６．３ｍｍとされ、鍔２６ｂの厚さは０．５ｍｍ〜１．０ｍｍとされ、巻線２７ａの直径は０．０３５ｍｍ〜０．０６５ｍｍとされている。
さらに、切欠部２６ｃの幅ｗは、０．３ｍｍ〜１．０ｍｍの範囲に設定されている。
【００１４】
上述したように、この発明の一実施形態によれば、切欠部（渡り部）２６ｃの幅ｗが狭くなるため、図３に示すように、切欠部２６ｃの巻線２７ａの巻乱れ、膨らみが少なくなることにより、二次コイル２７の層間でのレアショートが発生しなくなる。
【００１５】
上記した実施形態では、内燃機関用点火コイル装置の二次コイルボビン２６を例にして説明したが、他の機器、例えば変成器のコイルボビンなどにも適用できることは言うまでもない。
【００１６】
【発明の効果】
以上のように、この発明によれば、切欠部（渡り部）の幅を０．３ｍｍ〜１．０ｍｍの範囲に設定したので、切欠部（渡り部）の幅が狭くなる。
したがって、切欠部の巻線の巻乱れ、膨らみが少なくなることにより、コイルの層間でのレアショートが発生しなくなる。
【図面の簡単な説明】
【図１】この発明の一実施形態である二次コイルボビンの拡大断面図である。
【図２】図１に示した二次コイルボビンに二次コイルを巻回した二次コイル体の側面図である。
【図３】図２の部分拡大図である。
【図４】内燃機関用点火コイル装置の一例の概略構成を示す縦断面図である。
【図５】図４に示した従来の二次コイルボビンの拡大断面図である。
【図６】図４に示した従来の二次コイル体の拡大側面図である。
【図７】図６の部分拡大図である。
【符号の説明】
１１    絶縁ケース
１２    絶縁ケース本体部
１３    側壁
１４    底
１５    ソケット部
１６    高圧タワー部
１８    一次端子
１９    高圧端子
２１    コイル−鉄心組立体
２２    一次コイル体
２３    一次コイルボビン
２４    一次コイル
２５    二次コイル体
２６    二次コイルボビン
２６ａ  筒体
２６ｂ  鍔
２６ｃ  切欠部
２６ｄ  溝
２７    二次コイル
２７ａ  巻線
２８    センタ鉄心
２９    サイド鉄心
３０    永久磁石
３１    絶縁樹脂
ｈ      鍔の高さ
ｗ      切欠部の幅
【図１】
2004221147.tif 000003
【図２】
2004221147.tif 000004
【図３】
2004221147.tif 000005
【図４】
2004221147.tif 000006
【図５】
2004221147.tif 000007
【図６】
2004221147.tif 000008
【図７】
2004221147.tif 000009